(57)【特許請求の範囲】
【請求項１】
脚体に固着された前後方向を向く左右１対の座フレームの上面に、底面板の両側端部を固定し、この固定部よりも外方において、前記左右の座フレームの上面に、前記底面板の上方に配置された可撓性を有する座板における両側端部下面を載置し、かつ座板における座フレームより内方の部分を、前記底面板の上面に固定し、さらに、前記左右の座フレームの上面に、上方と内側方とに開口する凹入段部を形成し、この凹入段部の上面に、前記底面板の側端部を固定するとともに、前記座板の側端部を嵌合して載置したことを特徴とする椅子。
【請求項２】
座板の側端部の下面に、下端が座フレームの上面に当接する下向突部を突設してなる請求項１記載の椅子。
【請求項３】
座フレームの上面に設けためねじ孔に、底面板の側端部に上方より挿入したボルトを螺合することにより、座フレームの上面に底面板の側端部を固定してなる請求項１または２に記載の椅子。
【請求項４】
座板の下面に、めねじ孔を有する突部を突設し、このめねじ孔に、底面板の下方より挿入したボルトを螺合することにより、座板を底面板に固定してなる請求項１〜３のいずれかに記載の椅子。
【請求項５】
座板の下面に、下端が底面板の上面に当接する複数の補強リブを突設してなる請求項１〜４のいずれかに記載の椅子。
【請求項６】
底面板を板金製のものとし、かつその上面中央部に補強板を固着してなる請求項１〜５のいずれかに記載の椅子。
【発明の詳細な説明】
【技術分野】
【０００１】
本発明は、脚体の上部に設けた左右１対の座フレームにより、座体を支持してなる椅子に関する。
【背景技術】
【０００２】
従来の椅子の中には、脚体の上部に固着された前後方向を向く左右１対のブラケットの上面により、座体の左右両側部を支持し、ねじにより、座体の両側部をブラケットに固定したものがある(例えば特許文献１参照)。
【特許文献１】特開２００６−１８７５３４号公報
【発明の開示】
【発明が解決しようとする課題】
【０００３】
上記特許文献１に記載されている椅子では、左右１対のブラケットにより、座体の左右両側部を支持して固定されているのみであるから、左右のブラケットにより支持されていない座体の左右方向の中央部が、下方に過度に撓んだり、ブラケットと座体との取付部に大きな荷重が加わったりすることがある。
【０００４】
これを防止するためには、座体の厚さ、特にクッション材を取付けた座板の厚さを大きくして剛性を大としたり、座板をブラケットに強固に取付けたりして、座体中央部の曲げ強度を大とする必要がある。
しかし、このようにすると、座板の厚さが大となって、座体全体の上下寸法が大きくなり、椅子の体裁が損なわれたり、座板の製造コストが増大したり、ブラケットへの座板の取付工数が増大したりする。
【０００５】
本発明は、上記問題点に鑑みてなされたもので、座板の厚さを大としたり、その両側部を支持する座フレームへの取付強度を高めたりすることなく、座板の中央部の曲げ剛性を高めうるようにした、安価で体裁のよい椅子を提供することを目的としている。
【課題を解決するための手段】
【０００６】
本発明によると、上記課題は、次のようにして解決される。
（１）脚体に固着された前後方向を向く左右１対の座フレームの上面に、底面板の両側端部を固定し、この固定部よりも外方において、前記左右の座フレームの上面に、前記底面板の上方に配置された可撓性を有する座板における両側端部下面を載置し、かつ座板における座フレームより内方の部分を、前記底面板の上面に固定する。
【０００７】
（２）上記(１)項において、座板の側端部の下面に、下端が座フレームの上面に当接する下向突部を突設する。
【０００８】
（３）上記(１)または(２)項において、左右の座フレームの上面に、上方と内側方とに開口する凹入段部を形成し、この凹入段部の上面に、底面板の側端部を固定するとともに、座板の側端部を嵌合して載置する。
【０００９】
（４）上記(１)〜(３)項のいずれかにおいて、座フレームの上面に設けためねじ孔に、底面板の側端部に上方より挿入したボルトを螺合することにより、座フレームの上面に底面板の側端部を固定する。
【００１０】
（５）上記(１)〜(４)項のいずれかにおいて、座板の下面に、めねじ孔を有する突部を突設し、このめねじ孔に、底面板の下方より挿入したボルトを螺合することにより、座板を底面板に固定する。
【００１１】
（６）上記(１)〜(５)項のいずれかにおいて、座板の下面に、下端が底面板の上面に当接する複数の補強リブを突設する。
【００１２】
（７）上記(１)〜(６)項のいずれかにおいて、底面板を板金製のものとし、かつその上面中央部に補強板を固着する。
【発明の効果】
【００１３】
上記(１)項に記載の発明によれば、座板に加わる荷重が、底面板により受支されるので、座板中央部の曲げ剛性が大きくなり、その部分が下方に過度に撓むのが防止される。従って、座板の厚さを大として曲げ強度を高めたり、座板を座フレームに強固に固定したりする必要はなく、座板の製造コストや取付工数が削減される。
【００１４】
また、座板を含む座体全体の上下寸法を小さくしうるので、椅子の体裁がよくなる。
さらに、座板は、その側端部が単に座フレームに載置され、これには固定されていないので、座板全体が下方に撓み易くなり、座り心地がよくなる。
底面板は、座フレームに、かつ座板における座フレームより内方の部分は、底面板に、それぞれ別々に固定されているので、座板に加わる荷重が２箇所の取付部に分散され、一箇所に集中するのが防止される。
左右の座フレームが底面板により連結されているので、両座フレームが左右方向にぐらつくのが防止される。
【００１５】
上記(２)項に記載の発明によれば、座板における下向突部よりも内方の下面と、底面板の側端部上面との間に隙間が形成されるので、底面板の側端部を、座フレームの上面にボルトを用いて固定する際等に、ボルトの頭部を座板の下面に干渉させずに固定することができる。
【００１６】
上記(３)項に記載の発明によれば、座フレームに対し、座板の左右方向の位置決めが容易となるとともに、座板が左右方向に位置ずれすることがないので、底面板に対する固定箇所を最小限として、座板を左右の座フレームに安定よく取付けることができる。
また、底面板と座板の側端部が、座フレームの凹入段部の上面に取付けられているので、後面板及び座板が座フレームの上方に大きく突出することがなく、見栄えが向上する。
【００１７】
上記(４)項に記載の発明によれば、座フレームの上方から、底面板の側端部を、ボルトのみで固定しうるので、作業性がよい。
【００１８】
上記(５)項に記載の発明によれば、底面板を座フレームに固定した後、この底面板に、座板を、底面板の下方より挿入したボルトのみで容易に固定することができるとともに、ボルトの頭部が底面板の下方に位置するので、目立たない。
また、座板の上面にクッション材が取付けられていても、底面板の下方からねじ止めしうるので、都合がよい。
【００１９】
上記(６)項に記載の発明によれば、座板の曲げ剛性が大となるので、補強リブを除いた座板全体の厚さを薄くすることができ、材料費等が節約される。
【００２０】
上記(７)項に記載の発明によれば、底面板の中央部が補強板により補強され、曲げ剛性が大となるので、厚さの薄い安価な底面板を使用しうるとともに、軽量化を図ることができる。
【発明を実施するための最良の形態】
【００２１】
以下、本発明の実施形態を、図面に基づいて説明する。
図１は、本発明を適用した、複数(実施形態では２個)の単体の椅子１(右方の椅子は、背凭れの背当てを取外してある)を備えるロビーチェアの斜視図、図２は、単体の椅子１の中央縦断拡大側面図である。
【００２２】
各椅子１を支持している脚体２は、前後方向に鈍角をなして拡開する側面視山形状のアルミニウム合金等よりなる左右１対の支持脚３、３と、それらの上端部間に横架された角形鋼管よりなる横杆４とからなっている。横杆４の両側端部の開口部は、キャップ５により体裁よく閉塞されている。
【００２３】
各椅子１は、前方を向く座フレーム６aと、その後端に連設された側面視凹曲面状の屈曲部６bと、この屈曲部６bの上端よりやや後方に傾斜させて起立し、上端部が後ろ向きに折曲された背フレーム６ｃとからなる側面視ほぼ前向きＬ字状の左右１対の側部フレーム６、６を備えている。
【００２４】
各側部フレーム６の座フレーム６aは、後方に向かって漸次厚肉とされ、後端部の下面には、取付部７が下向きに突設され、その下端部には、側面視下向きコ字状の嵌合溝８が形成されている。
各椅子１における外側の側部フレーム６は、脚体２における左右の支持脚３と横杆４とに、次のようにして結合されている。
【００２５】
左右の支持脚３の頂部に形成された側面視上向きコ字状の嵌合溝９に、横杆４の両端部の下半部を嵌合した後、両外側の側部フレーム６、６における座フレーム６aの取付部７の嵌合溝８を、横杆４の両端部の上半部に、支持脚３の頂端と取付部７の下端間に僅かの隙間が形成されるようにして嵌合させる。
【００２６】
ついで、支持脚３の頂部の下方より挿入した前後２本のボルト１０、１０を、座フレーム６aの取付部７に設けた前後２個のめねじ孔１１、１１に螺合させて締め付ける。これにより、左右の支持脚３、３と、横杆４の両側端部と、両外側の側部フレーム６とが、一体的に結合されている。
【００２７】
各椅子１の内側の側部フレーム６、６は、その座フレーム６aの取付部７を横杆４の上半部に嵌合した後、この取付部７と、横杆４の下半部に嵌合した側面視上向きコ字状の取付金具１２とを、上記と同様、取付金具１２の下方より挿入したボルトを取付部７のめねじ孔(いずれも図示略)に螺合させて締め付けることにより、横杆４の中央部に固着されている(図１参照)。
【００２８】
各椅子１における左右の側部フレーム６、６の屈曲部６b同士は、アルミニウム合金等よりなる連結部材１３により、次のようにして連結されている。
図２に示すように、連結部材１３は、左右方向を向き、かつ屈曲部６bとほぼ同じ曲率で下向き凹状に湾曲する平板状の基片１３aと、その前端縁に若干後下方を向くように連設された下向片１３bとからなり、基片１３aの両側端部の下面(一方のみ図示する)には、斜め後ろ下方を向く前後２個の突部１４、１４が、一体的に突設されている。
【００２９】
図３の拡大断面図に示すように、左右の側部フレーム６における屈曲部６bの内側面の上下方向の中間部(左右対称で同一形状に付き、一方のみ図示する)に対向状に突設された前後２個の内向突片１５、１５の上面に、上記突部１４、１４の下端を当接させた状態で、両内向突片１５に設けられ通孔１６に下方より挿入した取付ねじ１７の上端部を、突部１４のめねじ孔１８に螺合することにより、連結部材１３の両側端部は、左右の側部フレーム６における屈曲部６bの上面に、それらの対向面に形成された後記する凹入段部２８に嵌合されるようにして固定され、これによって、左右の側部フレーム６の屈曲部６b同士が、連結部材１３により互いに連結されている。
【００３０】
このように、左右の側部フレーム６における屈曲部６b同士を、連結部材１３により連結すると、屈曲部６bに加わる曲げ荷重が、連結部材１３にも分散されて加わる。従って、屈曲部６bの曲げ剛性が大となり、屈曲部６bに後記する背凭れ１９からの大きな曲げ荷重が加わっても、その部分の強度は十分に保たれ、左右の背フレーム６cにより背凭れ１９を安定して支持することができる。
また、屈曲部６bの内向突片１５と、連結部材１３の側端部下面の突部１４とを取付ねじ１７により固定しているので、屈曲部６bと連結部材１３の側端部との固定部の断面形状が大となり、屈曲部６bの曲げ剛性をより高めることができる。
【００３１】
各椅子１の左右の側部フレーム６における背フレーム６cには、背凭れ１９が取付けられている。
背凭れ１９は、板金製パンチングプレートよりなる後面板２０と、その前方の前後方向に弾性変形可能な合成樹脂製の背板２１と、背板２１の前面に取付けられたクッション材よりなる背当て２２とからなっている。
【００３２】
後面板２０は、左右の側部フレーム６、６における屈曲部６bと背フレーム６cの対向面間の後部を塞ぐ大きさとされ、その左右の側端部を、図３〜図６に示すように、両側部フレーム６の屈曲部６bと背フレーム６cの対向面に形成された、後面板２０の板厚よりも溝幅の大きな内側方に開口する平面視内向きコ字状断面の取付溝２３(左右対称に付き、一方のみ図示する)に嵌合することにより、左右の側部フレーム６、６間の後端部に、両側部フレーム６により挟持されるようにして取付けられている。
【００３３】
背板２１は、側部フレーム６の前面の形状に沿う形状に形成され、後面には、図７に示すように、格子状をなす補強リブ２４が突設されている。
また、背板２１の後面の中央部、すなわち、通常使用時において座者の背中が強く当たる部分よりも若干上方の中央部と、それより上方の上端部付近の左右両側部とには、それぞれ、補強リブ２４よりも突出寸法の大きな４個と左右１対づつの突部２５が、後向きに突設されている。
さらに、背板２１の後面における上方寄りの左右両側部には、図９にも示すように、左右両側方と下方に開口する下向き鉤状の係止フック２６、２６(図９においては一方のみ図示)が突設されている。
背板２１の下端部の両側部には、左右１対のだるま状の係合孔２７、２７が穿設されている(図８参照)。
【００３４】
背板２１は、左右の側部フレーム６の前面に、次のようにして取付けられている。
図３〜図６に示すように、左右の側部フレーム６における屈曲部６bの内方の上面と背フレーム６cの内方の前面には、平面視Ｌ字状をなして後下方と後方に凹入する凹入段部２８(左右対称に付き、一方の側部フレームのみ図示する)が、上下方向に連続して形成され、図６および図８に示すように、背フレーム６cの凹入段部２８の下端部には、拡径頭部付きの段付きねじ２９が螺着されている。
また、図９に示すように、左右の側部フレーム６(一方のみ図示する)における背フレーム６cの上方寄りの内側面には、係止突片３０が、内向きに突設されている。
【００３５】
上記左右の側部フレーム６の係止突片３０に、背板２１の左右の係止フック２６を、上方より係合させるとともに、左右の側部フレーム６の段付きねじ２９に、背板２１の左右の係合孔２７を落とし込んで係合させることにより、背板２１及び背当て２２は、それらの両側端部が左右の側部フレーム６の凹入段部２８に嵌合されるようにして取付けられている。
【００３６】
図４及び図９に示すように、左右の側部フレーム６の上端に連設された後向き折曲部６ｄに下方より挿入した止めねじ３１を、背板２１の上端に連設された後向き折曲部２１aの両側端部下面のめねじ孔３２に螺合することにより、背板２１の上方への外れ止めがなされている。なお、背板２１の前面に取付けられた背当て２２の下端前部を、図１に示すように、連結部材１３の上端部の前上方に位置させることにより、左右の側部フレーム６における屈曲部６bの上端部間に形成される開放空間が、連結部材１３の上端部と、背当て２２の下端部とにより閉塞されるようにしてある。
【００３７】
上記のようにして、背板２１を左右の側部フレーム６に取付けると、図１及び図５に示すように、背板２１の後面に突設した複数の突部２５の後端が、後面板２０の前面に、これを後方に僅かに押圧するように圧接し、それ以外の背板２１の後面は、後面板２０の前面より離間し、互いの対向面間には隙間Ｓが形成されるようになっている。
【００３８】
このようにすると、後面板２０が、突部２５により後方に若干押圧されるため、側部フレーム６の取付溝２３の溝幅が後面板２０の板厚よりも大きくても、取付溝２３内において後面板２０が前後方向にがたついたり、後面板２０と背板２１との間にがたが発生して、当接音等を発したりするのが防止される。しかも、取付溝２３の溝幅を、後面板２０の板厚よりも大としてあるので、後面板２０の取付けが容易となる。
また、背板２１における突部２５を除いた部分、特に、通常使用時において背中が強く当接する中央部よりもやや下側の部分の背板２１が、隙間Ｓの範囲内で後方に適度に撓むことができるので、快適な座り心地が得られる。
【００３９】
さらに、背中全体で背凭れ１９を強く押圧した際の荷重は、各突部２５を介して後面板２０により受支されるので、背板２１を含む背凭れ１９全体が、後方に過度に撓む恐れはない。
上端部の左右１対の突部２５を、係止フック２６よりも上方に設けて、後面板２０に圧接させているので、係止フック２６よりも上方に位置する部分の背板２１が、後面板２０より離間して、前後方向にがたついたりするのが防止される。
すなわち、背板２１の下部が後方に撓むと、係止フック２６部付近を中心として、それよりも上方の背板２１が前方に浮きやすくなるが、係止フック２６よりも上方において、突部２５が後面板２０に常時圧接しているので、背板２１の上部が後面板２０の前面より離れにくくなる。
【００４０】
後面板２０は、その両側端部が、左右の側部フレーム６の対向面に形成された取付溝２３に嵌合して取付けられ、ねじ等の固定手段を用いていないので、取付けが容易であり、また取外して分別廃棄する際の作業能率もよい。
【００４１】
背板２１及び背当て２２は、左右の側部フレーム６の前面の凹入段部２８に嵌合されているので、それらが左右方向に位置ずれしたりすることがなく、側部フレーム６に安定よく取付けることができる。
【００４２】
各椅子１における左右の側部フレーム６の座フレーム６aには、座体３３が取付けられている。
図２及び図１０〜図１３に示すように、座体３３は、板金製の底面板３４と、その上面に取付けられた合成樹脂製の座板３５と、座板３５の上面に取付けられたクッション材３６とからなっている。
【００４３】
底面板３４は、図１４の斜視図にも示すように、前端部(斜め左上方が前)が若干前下方に傾斜するとともに、前端が側面視後向き倒立Ｌ字状をなすように上向きに折曲された方形平板状をなし、上面の中央部には、補強板３７が、スポット溶接等により固着されている。
底面板３４の左右両側部は、後端に向かって漸次左右幅が大となるように、若干上向きに折曲してある。
【００４４】
座板３５は、左右寸法と前後寸法が底面板３４のそれよりも所定寸法大とされ、左右の両側端部下面には、下向突部３５a、３５aが前後方向に向かって連設され、また両下向突部３５aを除いた下面には、互いに平行をなして前後方向を向く複数の補強リブ３８と、これら各補強リブ３８と連続する底面視Ｘ字状の補強リブ３９とが、下向きに突設されている。なお、両下向突部３５aの対向面間の寸法は、底面板３４の左右寸法よりも若干大とされている。
【００４５】
底面板３４は、左右の側部フレーム６における座フレーム６aに、次のようにして取付けられている。
図１１〜図１３に示すように、左右の側部フレーム６における座フレーム６aの内方の上面には、上方と内側方とに開口する正面視Ｌ字状をなす、座体３３支持用の凹入段部４０(左右対称で同一形状に付き、一方のみ図示する)が、上記凹入段部２８と連続するようにして形成され、この左右の凹入段部４０の内方の上面により、底面板３４の両側端部を支持した状態で、その前後左右の４箇所が、ボルト４１により固定されている。
【００４６】
すなわち、図１１及び図１３に示すように、底面板３４の前後左右の四隅部に穿設された取付孔４２(図１４参照)に上方より挿入したボルト４１を、左右の座フレーム６aの凹入段部４０における前端部と後端部に設けためねじ孔４３に螺合することにより、底面板３４は、左右の側部フレーム６の座フレーム６a間にまたがって固着されている。なお、図１２に示すように、底面板３４の前後方向の中央部の両側端部は、座フレーム６aの凹入段部４０の内方に突設された内向支持片４４により受支されている。
【００４７】
図１１及び図１４に示すように、座板３５の下面には、めねじ孔４５を有する前後左右４個の円筒状突部４６が、下向きに突設され、この各突部４６の下端を、底面板３４の四隅部により支持した状態で、上記取付孔４２よりも若干内方の四隅部に設けた通孔４７に下方より挿入したボルト４８を、各突部４６のめねじ孔４５に螺合することにより、座板３５は、その左右の下向突部３５aにおける前端部を除いた下端面が、凹入段部４０における底面板３４の取付部よりも外方の上面に当接するようにして、底面板３４の上面に取付けられている。なお、座板３５の取付後において、その下面のリブ３８、３９の下端は、底面板３４及び補強板３７の上面に当接または近接している。
【００４８】
図２に示すように、座板３５の上面には、クッション材３６が、その後端下部を、側部フレーム６の屈曲部６bに設けた連結部材１３の前端と当接または近接させるとともに、後端上部が、連結部材１３における基片１３aの前上方に位置するようにして、取付けられている。従って、背凭れ１９における背当て２２の下端と、座体３３のクッション３６の後端との間に形成される隙間が、連結部材１３により体裁よく塞がれている。
【００４９】
上記のように、左右の側部フレーム６における座フレーム６aに、底面板３４の両側端部を固着し、かつ両側端部の下向突部３５aを座フレーム６aの上面に載置した状態で、座板３５を、座フレーム６aよりも内方の底面板３４の上面に取付けると、左右の側部フレーム６における座フレーム６aが底面板３４により強化され、左右方向にぐらつくのが防止されるとともに、座板３５に加わる荷重が、底面板３４により受支されるので、座体３３全体の中央部が下方に過度に撓むのが防止される。従って、座板３５を薄肉に成形することが可能となり、材料費や金型の製作費等が節約されるとともに、座体３３全体の上下寸法も小さくなるので、椅子の体裁がよくなる。
【００５０】
また、底面板３４は側部フレーム６における座フレーム６aに、座板３５は底面板３４に、それぞれ別々にねじ止めされているので、座体３３に加わる荷重が、一つの取付部に集中することがない。しかも、座板３５の両側端部の下向突部３５aは、単に座フレーム６aの上面に載置され、固定されてはいないので、座板３５全体が下方に撓み易くなり、座り心地がよくなる。
【００５１】
さらに、座板３５及びクッション材３６の両側端部は、左右の側部フレーム６における座フレーム６aの凹入段部４０に嵌合されて取付けられているので、それらの左右方向の位置決めが容易であるとともに、左右方向に位置ずれすることがないので、座板３５の前後左右の４箇所のみを、ボルト４８により底面板３４に固定するだけで、左右の側部フレーム６における座フレーム６aに安定よく取付けることができる。
【００５２】
上記実施形態に椅子のように、背凭れ１９と座体３３とを、脚体２の横杆４に直接固着された側面視前向きＬ字状をなす左右１対の側部フレーム６、６に取付けると、部品点数及び脚体への取付工数が削減され、コスト低減が図れる。
【００５３】
上記実施形態の椅子においては、座板３５の上面に、クッション材３６を取付けているが、クッション材３６を省略し、座板３５のみとすることもある。
また、本発明は、上記ロビーチェア以外に、通常の単体の椅子にも適用しうることは勿論である。
【図面の簡単な説明】
【００５４】
【図１】本発明を適用したロビーチェアにおける右側の椅子の背当てを取り外した状態の斜視図である。
【図２】同じく、椅子の一部切欠き拡大中央縦断側面図である。
【図３】図２のIII-III線拡大縦断正面図である。
【図４】同じく、IV-IV線拡大縦断端面図である。
【図５】同じく、V-V線拡大横断端面図である。
【図６】同じく、VI-VI線拡大横断端面図である。
【図７】背板の後面図である。
【図８】側部フレームへの背板取付前の斜視図である。
【図９】同じく、側部フレーム上部への背板上部の取付部の後面斜視図である。
【図１０】座体の拡大中央縦断側面図である。
【図１１】図２のXI-XI線拡大縦断端面図である。
【図１２】同じくXII-XII線拡大縦断端面図である。
【図１３】同じくXIII-XIII線拡大縦断端面図である。
【図１４】底面板と座板との取付前の底面斜視図である。
【符号の説明】
【００５５】
１    椅子
２    脚体
３    支持脚
４    横杆
５    キャップ
６    側部フレーム
６a   座フレーム
６b   屈曲部
６c   背フレーム
６ｄ  後向き折曲部 
７    取付部
８    嵌合溝
９    嵌合溝
１０  ボルト
１１  めねじ孔
１２  取付金具
１３  連結部材
１３a 基片
１３b 下向片
１４  突部
１５  内向突片
１６  通孔
１７  取付ねじ
１８  めねじ孔
１９  背凭れ
２０  後面板
２１  背板
２１a 後向き折曲部
２２  背当て
２３  取付溝
２４  補強リブ
２５  突部
２６  係止フック
２７  係合孔
２８  凹入段部
２９  段付きねじ
３０  係止突片
３１  止めねじ
３２  めねじ孔
３３  座体
３４  底面板
３５  座板
３５a 下向突部
３６  クッション材
３７  補強板
３８  補強リブ
３９  補強リブ
４０  凹入段部
４１  ボルト
４２  取付孔
４３  めねじ孔
４４  内向支持片
４５  めねじ孔
４６  円筒状突部
４７  通孔
４８  ボルト
Ｓ    隙間
【図１】
0005259995.tif 000002
【図２】
0005259995.tif 000003
【図３】
0005259995.tif 000004
【図４】
0005259995.tif 000005
【図５】
0005259995.tif 000006
【図６】
0005259995.tif 000007
【図７】
0005259995.tif 000008
【図８】
0005259995.tif 000009
【図９】
0005259995.tif 000010
【図１０】
0005259995.tif 000011
【図１１】
0005259995.tif 000012
【図１２】
0005259995.tif 000013
【図１３】
0005259995.tif 000014
【図１４】
0005259995.tif 000015